(57)【要約】【課題】より一層のコストダウン可能な照明装置を提供する。【解決手段】照明装置１は、裏側が設置面に固定される器具本体２と、器具本体２の表面に取り付けられる有底筒状のベース３と、ベース３の底部の表面に搭載される光源モジュール４と、器具本体２とベース３との間に配され且つ光源モジュール４を点灯させる点灯回路５と、光源モジュール４を覆う状態で器具本体１に装着されるシェード６とを備え、光源モジュール４は、表面が導電部分となり且つ自己の形状を保持可能な剛性を有する導電片４１１を離間する状態で複数個備える配線体４１と、隣接する複数組の導電４１１片に跨るように実装されるＬＥＤ４３とを有する。【選択図】図３
2020068147.tif 000002
【特許請求の範囲】
【請求項１】
裏側が設置面に固定される器具本体と、
前記器具本体の表面に取り付けられる有底筒状のベースと、
前記ベースの底部の表面に搭載される光源モジュールと、
前記器具本体と前記ベースとの間に配され且つ前記光源モジュールを点灯させる点灯回路と、
前記光源モジュールを覆う状態で前記器具本体に装着されるシェードと
を備え、
前記光源モジュールは、表面が導電部分となり且つ自己の形状を保持可能な剛性を有する導電片を離間する状態で複数個備える配線体と、隣接する複数組の導電片に跨るように実装されるＬＥＤとを有する
照明装置。
【請求項２】
前記配線体は前記ベースの表面に固定されている
請求項１に記載の照明装置。
【請求項３】
前記ベースは、前記複数個の導電片間に存在する複数個の隙間の少なくとも１以上の隙間から表側に延出する延出部を前記底部の表面に有し、
前記少なくとも１以上の隙間の両側の導電片が、前記延出部における前記隙間よりも表側に位置する溶融部分により係止されている
請求項２に記載の照明装置。
【請求項４】
前記シェードは貫通孔を有し、
前記貫通孔に設けられたセンサユニットをさらに備え、
前記センサユニットは、複数のセンサと、前記複数のセンサを露出状態で支持する支持台とを備え、
前記支持台は、非透光性樹脂材料により構成されている
請求項１〜３の何れか１に記載の照明装置。
【請求項５】
前記ベース及び前記器具本体の少なくとも一方は、難燃樹脂材料により構成されている
請求項１〜４の何れか１項に記載の照明装置。
【請求項６】
前記器具本体は、前記設置面との間を埋めるスペーサセットと共に前記設置面の丸型引掛シーリング又は角型引掛シーリングに取り付けられ、
前記スペーサセットは、前記角型引掛シーリング用の内スペーサと、前記丸型引掛シーリング用の外スペーサとを有し、
前記内スペーサは、前記設置面側が開放する有底筒状をすると共に底部に前記角型引掛シーリングと嵌合する嵌合部を有し、
前記外スペーサは、前記設置面側が開放する有底筒状をすると共に底部に前記丸形引掛シーリングと嵌合する嵌合部を有し、
前記内スペーサは、前記外スペーサの嵌合部に着脱自在に嵌合する
請求項１に記載の照明装置。
【発明の詳細な説明】
【技術分野】
【０００１】
本発明は、複数個のＬＥＤを光源として備える照明装置に関する。
【背景技術】
【０００２】
近年、環境意識の高まりから、省電力化に優れたＬＥＤを光源に使用したＬＥＤ照明装置が盛んに用いられるようになり、壁等の設置面に直接取り付ける直付けタイプのものがある（例えば特許文献１）。
特許文献１の照明装置は、「被取付部に取り付けられるランプ本体と、前記ランプ本体に装着される透光性カバーと、を備えた照明装置であって、前記ランプ本体は、光源と、前記光源が実装される基板と、前記基板に搭載されて前記光源を点灯させる点灯回路と、前記基板に取り付けられて前記光源からの熱を放熱する放熱部材と、前記基板及び前記放熱部材を保持するベース部材と、を備え、更に前記照明装置を制御するための情報を感知するセンサを搭載したセンサ部をも備えていることを特徴とする」とされている。
【先行技術文献】
【特許文献】
【０００３】
【特許文献１】特開２０１５−１９５１６０号公報
【発明の概要】
【発明が解決しようとする課題】
【０００４】
上記のような照明装置においてもコストダウンの要望がある。
本発明は、より一層のコストダウン可能な照明装置を提供することを目的とする。
【課題を解決するための手段】
【０００５】
本発明に係る照明装置は、裏側が設置面に固定される器具本体と、前記器具本体の表面に取り付けられる有底筒状のベースと、前記ベースの底部の表面に搭載される光源モジュールと、前記器具本体と前記ベースとの間に配され且つ前記光源モジュールを点灯させる点灯回路と、前記光源モジュールを覆う状態で前記器具本体に装着されるシェードとを備え、前記光源モジュールは、表面が導電部分となり且つ自己の形状を保持可能な剛性を有する導電片を離間する状態で複数個備える配線体と、隣接する複数組の導電片に跨るように実装されるＬＥＤとを有する。
【発明の効果】
【０００６】
上述の構成によれば、基板とは異なる構造の配線体を備えるため、より一層のコストダウンが可能となる。
【図面の簡単な説明】
【０００７】
【図１】実施形態に係る照明装置の斜視図であり、（ａ）は表側から見た図であり、（ｂ）は裏側から見た図である。
【図２】照明装置の断面図である。
【図３】照明装置の分解状態を表側から見た斜視図である。
【図４】照明装置の分解状態を裏側から見た斜視図である。
【図５】（ａ）は器具本体を表側から図であり、（ｂ）は器具本体を裏側から見た図である。
【図６】（ａ）は器具本体の外筒部の装着部周辺の拡大斜視図であり、（ｂ）は器具本体の内筒部の装着部周辺の拡大斜視図であり、（ｃ）は器具本体の内筒部の位置決め部周辺の拡大斜視図であり、（ｄ）器具本体の支持部により点灯基板が支持された状態であって点灯基板の一部を切り欠いている拡大斜視図である。
【図７】（ａ）はベースを表側から図であり、（ｂ）はベースを裏側から見た図である。
【図８】（ａ）光源モジュールの一部を拡大した斜視図であり、（ｂ）は点灯基板の接続具周辺の拡大斜視図であり、便宜上ベースを非表示としている。
【図９】（ａ）はセンサユニットの分解状態を表側から見た斜視図であり、（ｂ）はセンサユニットの分解状態を裏側から見た斜視図である。
【図１０】（ａ）は丸形引掛シーリングの斜視図であり、（ｂ）は角型引掛けシーリングの斜視図である。
【図１１】（ａ）はスペースユニットの一部切り欠いた状態を設置面側から見た斜視図であり，（ｂ）はスペースユニットの一部切り欠いた状態を設置面と反対側から見た斜視図である。
【図１２】（ａ）はスペースユニットの分解状態を設置面と反対側から見た斜視図であり、（ｂ）はスペースユニットの分解状態を設置面側から見た斜視図である。
【発明を実施するための形態】
【０００８】
＜概要＞
実施形態の一態様に係る照明装置は、裏側が設置面に固定される器具本体と、前記器具本体の表面に取り付けられる有底筒状のベースと、前記ベースの底部の表面に搭載される光源モジュールと、前記器具本体と前記ベースとの間に配され且つ前記光源モジュールを点灯させる点灯回路と、前記光源モジュールを覆う状態で前記器具本体に装着されるシェードとを備え、前記光源モジュールは、表面が導電部分となり且つ自己の形状を保持可能な剛性を有する導電片を離間する状態で複数個備える配線体と、隣接する複数組の導電片に跨るように実装されるＬＥＤとを有する。
実施形態の別態様に係る照明装置において、前記配線体は前記ベースの表面に固定されている。これにより、配線体を固定するための部材が不要となる。
実施形態の別態様に係る照明装置において、前記ベースは、前記複数個の導電片間に存在する複数個の隙間の少なくとも１以上の隙間から表側に延出する延出部を前記底部の表面に有し、前記少なくとも１以上の隙間の両側の導電片が、前記延出部における前記隙間よりも表側に位置する溶融部分により係止されている。これにより、配線体を容易に固定できる。また、固定部を容易に設けることができる。
【０００９】
実施形態の別態様に係る照明装置において、前記シェードは貫通孔を有し、前記貫通孔に設けられたセンサユニットをさらに備え、前記センサユニットは、複数のセンサと、前記複数のセンサを露出状態で支持する支持台とを備え、前記支持台は、非透光性樹脂材料により構成されている。これにより、光源モジュールからの光によるセンサの誤動作を防止できる。
実施形態の別態様に係る照明装置において、前記ベース及び前記器具本体の少なくとも一方は、難燃樹脂材料により構成されている。これにより、点灯回路を安全に収容できる。
実施形態の別態様に係る照明装置において、前記器具本体は、前記設置面との間を埋めるスペーサセットと共に前記設置面の丸型引掛シーリング又は角型引掛シーリングに取り付けられ、前記スペーサセットは、前記角型引掛シーリング用の内スペーサと、前記丸型引掛シーリング用の外スペーサとを有し、前記内スペーサは、前記設置面側が開放する有底筒状をすると共に底部に前記角型引掛シーリングと嵌合する嵌合部を有し、前記外スペーサは、前記設置面側が開放する有底筒状をすると共に底部に前記丸形引掛シーリングと嵌合する嵌合部を有し、前記内スペーサは、前記外スペーサの嵌合部に着脱自在に嵌合する。これにより、スペーサセットは丸型引掛シーリングと角型引掛シーリングとの両方に対応できる。
【００１０】
＜実施形態＞
１．全体
概要
照明装置１は、図１に示すように、円盤状をし、被取付具８１が設置面側の取付具具に取り付けられる。
照明装置１の方向について、照明装置１を基準にして、設置面が存在する側を「裏側」又は「後側」とし、設置面と反対側を「表側」又は「前側」とする。
照明装置１から出射された光を基準にすると、光が進む方向は「表側」又は「前側」となる。
照明装置１の概要について主に図３及び図４を用いて説明する。
照明装置１は、天井や壁等の設置面に固定される器具本体２と、器具本体２の表側に取り付けられる有底筒状のベース３と、ベース３の底部３１の表面に搭載される光源モジュール４と、器具本体２とベース３との間に配される光源モジュール４用の点灯回路５と、光源モジュール４を覆う状態で器具本体２に装着されるシェード６とを備える。照明装置１は、上記構成以外に、例えばセンサユニット７を備えてもよい。
【００１１】
２．各部の構成
（１）器具本体
図２〜図４を用いて説明する。
器具本体２は、設置面の引掛シーリング９１，９２（図１０参照）等の取付具に取り付けられる被取付具８１を装着する機能と、取付具に照明装置１を取り付けた際に設置面と照明装置１との間を埋める外スペーサ９３を保持する保持機能と、点灯回路５を支持する支持機能と、ベース３を装着する装着機構と、シェード６を装着する装着機能との少なくとも１つの機能を有してもよい。ここでの器具本体２は、上記機能のすべてを有している。器具本体２は、点灯回路５の安全性を上げるため難燃樹脂材料により構成され、ここでは、難燃ポリカーボネイト（ＰＣ）が利用されている。
【００１２】
器具本体２は、図３及び図５の（ａ）に示すように、平板部２０と、平板部２０の周縁から表側に筒状に延伸する外筒部２１とを有している。
平板部２０は円板状をしている。外筒部２１は円筒状をしている。外筒部２１の外周面は、表側の直径が小さくなる傾斜面となっている。
器具本体２は、周方向に間隔をおいて、シェード６を装着するための複数個の装着部２１１を外筒部２１に有する。これにより、シェード６の位置合せが容易となる。
装着部２１１は、図６の（ａ）に示すように、外筒部２１の裏側から径方向の外方に突出する突出部２１２と、突出部２１２の表側に形成された貫通孔２１３とを有する。貫通孔２１３に、図２に示すように、シェード６の筒部６２の装着部６３が係合する。なお、装着部２１１は、図６の（ａ）に示すように、貫通孔２１３の表側であって周方向に間隔をおいて一対の溝２１４を有している。これにより、シェード６の装着の際に、溝２１４に挟まれた部分２１５が弾性変形することとなり、シェード６の装着を容易としている。
【００１３】
器具本体２は、図３及び図５の（ａ）に示すように、平板部２０における外筒部２１の内側から表側に筒状に延伸する内筒部２２を有している。内筒部２２は円筒状をしている。
器具本体２は、周方向に間隔をおいて、ベース３を装着するための複数の装着部２２１を内筒部２２に有する。
装着部２２１は、図６の（ｂ）に示すように、内筒部２２の表側に形成された欠け部２２２と、欠け部２２２の裏側端から欠け部２２２内を表側へと延伸する装着延伸部分２２３と、装着延伸部分２２３の内面から径方向の内方へと突出する凸部分２２４とを有する。凸部分２２４は、図２に示すように、ベース３と筒部３２の貫通孔３５に係合する。
【００１４】
器具本体２は、図５の（ａ）に示すように、周方向に間隔をおいて、ベース３を周方向に位置決めするための複数の位置決め部２２６を内筒部２２に有する。位置決め部２２６は、凸部分により構成され、ここでは、図６の（ｃ）に示すように、内筒部２２の筒軸と平行な方向に延伸する一対のリブ２２７により構成されている。位置決め部２２６（リブ２２７）は、図３に示すように、ベース３の筒部３２の位置決め部３６（欠け部）に嵌合する。
【００１５】
器具本体２は、図５の（ａ）に示すように、点灯回路５の点灯基板５１を裏側から支持する支持部２３を平板部２０に有する。
支持部２３は、表側に延伸する延伸板部分２３１と、延伸板部分２３１の内側に形成され且つ延伸板部分２３１よりも低い内延伸部分２３２とを有している。
延伸板部分２３１は、図６の（ｄ）に示すように、点灯基板５１の外周縁に沿って設けられ、点灯基板５１の外周面に当接する。内延伸部分２３２はリブ状に延伸し、点灯基板５１の裏面に近接又は当接する。
支持部２３は、延伸板部分２３１を外側（内延伸部分２３２と反対側）から補強するリブ部分２３３を有している。このため、支持部２３を延伸方向から見ると、図５の（ａ）に示すように、「＋」状をしている。
換言すると、支持部２３は、表側に「＋」状に延伸し、点灯回路５の周縁に対応して段差を有することで構成されている。
複数個の支持部２３の内、少なくとも１個は、図６の（ｄ）に示すように、点灯基板５１に貫通孔５１ａに嵌合する凸部分２３４を有する。凸部分２３４は点灯基板５１を位置決めする。
【００１６】
器具本体２は、図３及び図５の（ａ）に示すように、金属製の被取付具８１を装着する装着部２４を平板部２０に有する。被取付具８１は、「Ｚ」字状をしている。装着部２４は、図５の（ａ）に示すように、被取付具８１が平板部２０を挿通するための貫通孔２４１と、貫通孔２４１の周囲から表側に筒状に延伸する筒部分２４２と、筒部分２４２の底部分（平板部２０）に形成されたねじ孔２４３とを有する。被取付具８１の表側の屈曲部がねじ８２（図６の（ｄ）参照）により平板部２０に固定される。
なお、点灯基板５１と被取付具８１との電気的接続は、図６の（ｄ）に示すように、被取付具８１の屈曲部から表側に延伸する延伸部分８１１が、点灯基板５１の貫通孔５１ｃ（図３参照）に嵌合することで行われる。
【００１７】
器具本体２は、図４に示すように、後述のスペーサセット９０（図１１参照）の外スペーサ９３の筒部９３１を保持する保持部２６を平板部２０の裏面に有している。
保持部２６は、ここでは、一対の被取付具８１と器具本体２の中心とを結ぶ仮想線上に位置する。保持部２６は、設置面側から見ると、円弧状をしている。
保持部２６は、図２及び図５の（ｂ）に示すように、外スペーサ９３の筒部９３１の段差９３１ｃ（図１２の（ａ）参照）付近まで延伸する外延伸部分２６１と、外延伸部分の内側であって周方向に間隔を置いて形成されたリブ部分２６２と、リブ部分２６２の内側端を連結するように延伸する内延伸部分２６３とを備える。
【００１８】
外延伸部分２６１の外周面は、照明装置１が設置面の取付具に取り付けられた際に、外スペーサ９３の筒部９３１の大径部分９３１ｂ（図１２の（ａ）参照）と直径が略一致するように、構成されている。これにより、照明装置１を設置した際の意匠性を向上させることができる。
リブ部分２６２は外スペーサ９３の筒部９３１の筒軸と平行に延伸する。リブ部分２６２の内側端は外スペーサ９３の小径部分９３１ａと近接又は当接する。
内延伸部分２６３の延伸端（裏側端）は、外延伸部分２６１の延伸端（裏側端）よりも表側に位置する。内延伸部分２６３の内周面は、リブ部分２６２の内側端面と略面一となっており、外スペーサ９３の筒部９３１の小径部分９３１ａ（図１２の（ａ）参照）と近接又は当接する。器具本体２に外延伸部分２６１を設けることにより、スペーサセット９０との嵌合がスムーズになり、照明装置１の取り付けが簡単に行えるようになる。
【００１９】
器具本体２は、装着部２２１の凸部分２２４を成形する際の貫通孔２０１を平板部２０に有している。ここでは、貫通孔２０１は、３個あり、図１に示すように、虫が照明装置１内に侵入できないために、シールテープ２９により塞がれている。
【００２０】
（２）ベース
ベース３は、光源モジュール４を載置する載置機能と、光源モジュール４を固定する固定機能と、光源モジュール４を位置決めする位置決め機能と、点灯回路５を支持する支持機能との少なくも１つを有してもよい。
主に図３、図４及び図７を用いて説明する。
ベース３は、図３及び図４に示すように、有底筒状をしている。ここでは、底部３１は円形状をし、筒部３２が円筒状をしている。ベース３は、点灯回路５の安全性を高めるため難燃樹脂材料により構成され、ここでは、難燃ポリカーボネイト（ＰＣ）が利用されている。点灯回路５は、器具本体２とベース３の難燃性ポリカーボネイト（ＰＣ）に、囲まれることになる。
【００２１】
ベース３は、図３に示すように、センサユニット７を点灯基板５１に取り付ける（挿通させる）ため貫通孔３１１を底部３１に有する。ここでは、貫通孔３１１は円形状の底部３１の中心に設けられている。
ベース３は、図７に示すように、点灯回路５と光源モジュール４を電気的に接続する接続具５３の接続ピン５３１（図８参照）が挿通するための貫通孔３１２を底部３１に有する。
【００２２】
ベース３は、図４に示すように、点灯回路５（点灯基板）５１を支持する支持部３３，３４の少なくとも一方を底部３１の裏面に有する。ここでは、両支持部３３，３４を有する。
支持部３３は、図２に示すように、底部３１から点灯基板５１の周縁に向かって突出する突出部分により構成されている。突出部分は、点灯基板５１の平面視形状（図４参照）に対応して、方形状をしている。突出部分の裏面は点灯基板５１の表面に近接又は当接している。
支持部３４は、図２に示すように、底部３１の貫通孔３１１の周縁から点灯基板５１の周縁に向かって突出する突出部分により構成されている。突出部分は、円形状の貫通孔３１１に対応して、円形状をしている。突出部分の裏面は点灯基板５１の表面に近接又は当接している。
【００２３】
ベース３は、ベース３を器具本体２に装着する装着部３５を筒部３２に有する。装着部３５は、上述した、器具本体２の装着部２２１の凸部分２２４が係合する凹み又は貫通孔により構成されている。ここでは、装着部３５は貫通孔により構成され、符号「３５」を用いる。
筒部３２の裏側端は、図２に示すように、ベース３が器具本体２に装着されると、器具本体２の平板部２０に近接又は当接する。
なお、ベース３の器具本体２への装着は、ベース３の筒部３２の外周面が器具本体２の内筒部２２の内周面と対向する。
【００２４】
ベース３は、図３及び図４に示すように、ベース３を器具本体２に対し位置決めする位置決め部３６を筒部３２に有する。位置決め部３６は、上述した、器具本体２の位置決め部２２６の凸部（リブ２２７（図６（ｃ））が嵌る凹み、貫通孔又は欠け部により構成されている。ここでは、位置決め部３６は欠け部により構成され、符号「３６」を用いる。
【００２５】
ベース３は、図３及び図７に示すように、光源モジュール４を固定する固定部３７を底部３１の表面に有している。ここでは、固定部３７は底部３１に一体に設けられている。
固定部３７は、表側に棒状に延伸する延伸部分により構成され、延伸部分の符号に「３７」を用いる。延伸部分３７は、図３及び図４に示すように、隣接する導電片４１１間の隙間４１１ａ、導電片４１１の貫通孔４１１ｂ及び導電片４１１の外周縁の欠け部４１１ｃの少なくとも１つを通り、図８の（ａ）に示すように配線体４１の表側に延出する。
固定部３７は、図７の（ａ）に示すように、同心の三重の円周上に位置するように設けられている。換言すると、固定部３７は導電片４１１の径方向に間隔を置いて複数個所に設けられている。
延伸部分３７は、光源モジュール４載置後に、配線体４１よりも表側に延出する延出領域が溶融され、当該溶融部分により、導電片４１１間の隙間４１１ａ、貫通孔４１１ｂ及び欠け部４１１ｃの周辺部分がベース３に係止される。
【００２６】
ベース３は、図７に示すように、光源モジュール４を位置する位置決め部３８を有する。配線体４１は、高電位側端子が存在する導電片４１１と、低電位側端子が存在する導電片４１１との間の隙間が「へ」字状をしており、この隙間に「へ」字状に表側に突出する突出部分より位置決め部３８が構成される。
【００２７】
（３）光源モジュール
光源モジュール４は、図３に示すように、表面が導電部分となり且つ自己の形状を維持可能な剛性を有する導電片４１１を離間する状態で複数個備える配線体４１と、隣接する複数組の導電片４１１に跨るように実装されたＬＥＤ４３とを有する。
ＬＥＤ４３は、光源モジュール４の全面に均一に配置されているので、全面がきれいに発光する全面発光の構成となる。光源モジュール４は、点灯回路５の接続ピン５３１と接続する接続具４５を配線体４１に備える。
配線体４１は、図３及び図４に示すように、全体として環状をしている。つまり、配線体４１の中心部分に貫通孔４１５を有している。配線体４１は、円環状をし、扇状の中心側が欠けたような形状の導電片４１１を周方向に間隔をおいて複数個備える。
導電片４１１は、その裏面がベース３の底部３１の表面に当接又は近接する状態で、ベース３の固定部３７が挿通するための貫通孔４１１ｂや欠け部４１１ｃを有している（図８参照）。貫通孔４１１ｂは、導電片４１１の周方向の略中央であって径方向の略中央に設けられている。欠け部４１１ｃは、導電片４１１の周方向の略中央であって径方向の外方端に設けられている。
【００２８】
ＬＥＤ４３は周方向に隣接する１組の導電片４１１に跨るように実装されている。これにより、隣接する１組の導電片４１１がＬＥＤ４３により連結される。なお、図８の（ａ）に示すように、高電位側端子が存在する導電片４１１と、低電位側端子が存在する導電片４１１とには、ＬＥＤを実装できないため、ダミーチップ４７を実装して連結している。さらに、導電片４１１同士の接続強度を上げるために、ダミーチップ４７をＬＥＤ４３と並列に配置してもよい。
【００２９】
（４）点灯回路
点灯回路５は、器具本体２に取り付けられた被取付具８１を介して受電する受電機能、受電した電力から点灯電力を生成して光源モジュール４に供給する点灯電力供給機能、受電した電力から駆動電力を生成してセンサユニット７に供給する駆動電力供給機能、センサユニット７からの信号に基づいて光源モジュール４の点灯を制御する制御機能の少なくとも１つの機能を有する。
ここでの点灯回路５は上記機能のすべてを有している。これらの機能は、複数個の電子部品を回路構成することで発揮される。
【００３０】
点灯回路５は、図３及び図４に示すように、１枚又は複数枚の点灯基板５１と、複数個の電子部品５２とから構成される。なお、図４では、複数個の電子部品５２は２つのブロックとして表している。
点灯基板５１は、センサユニット７を装着する装着機能、接続具５３を装着する機能、電子部品５２を実装する機能の少なくとも１つの機能を有する。
点灯基板５１は、１枚であり、方形状をしている。点灯基板５１は、複数個の電子部品５２が点灯基板５１の主面の一方面（裏面）に実装されている。点灯基板５１として、例えば絶縁板にプリント配線された、所謂プリント基板を利用できる。なお、絶縁板として難燃樹脂材料により構成され、ここでは、ＳＥＭ−３等が利用されている。
【００３１】
点灯基板５１は、図４に示すように、位置決め用の貫通孔５１ａを有している。この貫通孔５１ａには、図６の（ｄ）に示す器具本体２の支持部２３の凸部分２３４が挿入又は嵌合される。貫通孔５１ａは合計で２個あり、方形状の点灯基板５１の対向線上に位置する２つの角部の内側に設けられている。
点灯基板５１は、図３に示すように、被取付具８１（正確にはねじ８２であり、図６の（ｄ）参照）との干渉を避けるための貫通孔５１ｂと、被取付具８１の延伸部分８１１と電気的に接続するための貫通孔５１ｃとを有する。貫通孔５１ｂと貫通孔５１ｃは１個の被取付具８１に対応し（これを１組とする）、隣接して設けられている。２組の貫通孔５１ｂ，５１ｃは、点灯基板５１における貫通孔５１ａを結ぶ対角線でない他方の対角線上に設けられている。
【００３２】
点灯基板５１は、図３に示すように、人感センサ７１（図９参照）と電気的に接続するための貫通孔５１ｄと、照度センサ７３（図９参照）と電気的に接続する貫通孔５１ｅとを中央に有する。
点灯基板５１は、図２及び図４に示すように、センサユニット７の支持台７５を装着するための貫通孔５１ｆを有する。貫通孔５１ｆは２個あり、この間に人感センサ７１用の貫通孔５１ｄが位置する。なお、貫通孔５１ｆは、点灯基板５１の略中央に設けられている。
【００３３】
点灯基板５１は図４に示すように、配線パターンと光源モジュール４とを接続する接続具５３を有する。接続具５３は、方形状の基板の１つの角部に近い部位に設けられている。接続具５３は、図８の（ｂ）に示すように、一対の接続ピン５３１を有し、当該一対の接続ピン５３１はベース３の貫通孔３１２（図７参照）を挿通して、図８の（ａ）に示すように光源モジュール４の接続具４５に接続される。
【００３４】
（５）シェード
主に図２〜図４を用いて説明する。
シェード６は光透過性の樹脂により構成されている。ここでは、ポリプロピレン（ＰＰ）を利用している。これにより、軽量化できる。シェード６は有底筒状をしている。ここでのシェード６の底部６１は円板状をし、筒部６２は円筒状をしている。
シェード６は、センサユニット７用の貫通孔６１１を底部６１に有している。ここでの貫通孔６１１は底部６１の中心に設けられている。なお、貫通孔６１１は円形状をしている。なお、シェード６は、貫通孔６１１の周辺部から裏側に突出する内鍔部６１３を有している。
シェード６は、図４に示すように、筒部６２の筒軸方向沿う段差６２１を筒部６２の内周面に有しながら、裏側に向かって直径が徐々に大きくなっている。これにより、光源モジュール４からの光を表側に反射させることができる。
シェード６は、シェード６を器具本体２に装着する装着部６３を筒部６２に有する。装着部６３は、上述した、器具本体２の装着部２１１の貫通孔２１３に係合する凸部分より構成され、符号「６３」を用いている（図６（ａ）参照）。
なお、図２に示すように、シェード６が器具本体２に装着されると、装着部６３の裏側端部が器具本体２の突出部２１２に当接又は近接する。
【００３５】
（６）センサユニット
主に図９を用いて説明する。
センサユニット７は、図２に示すように、シェード６の貫通孔６１１に嵌合するように設けられている。
センサユニット７は、複数種類のセンサと、複数種類のセンサを装着し且つ点灯基板５１に取り付けられる支持台７５とを備える。ここでの複数種類のセンサは、外部環境を検知するためのものである。具体的には、人感センサ７１と照度センサ７３とである。照明装置１の周辺が暗く且つ人を検知すると、照明装置１が一定時間点灯する。
【００３６】
（６−１）人感センサ
人感センサ７１は例えば焦電形赤外線タイプが利用されている。人感センサ７１は人の発する熱量の変化に応じて発した電圧に規定以上の変化が生じると検知信号を出力する。人感センサ７１はセンサ本体７１ａとリード線（ピン）７１ｂとセンサカバー７１ｃとを有する。なお、リード線（ピン）７１ｂは、電源用、接地用及び出力用の合計３本である。
【００３７】
（６−２）照度センサ
照度センサ７３は例えばフォトダイオードが利用される。照度センサ７３は受光に応じて変動した電圧を出力する。照度センサ７３はセンサ本体７３ａとリード線（ピン）７３ｂとを有する。なお、リード線（ピン）７３ｂは電源用及び出力用の合計２本である。
【００３８】
（６−３）支持台
支持台７５は、図９に示すように、人感センサ７１と照度センサ７３とを装着するセンサ装着部７５１と、シェード６の貫通孔６１１に嵌合する嵌合部７５３と、センサ装着部７５１を点灯基板５１から離れた位置に配するためのスペーサ部７５５と、点灯基板５１に取り付けるための取付部７５７とを一体で有している。支持台７５は、遮光性の樹脂材料により構成し、センサの誤動作防止効果を施している。ここでは、高反射ポリカーボネイトが利用されている。
【００３９】
（６−３−１）センサ装着部７５１
センサ装着部７５１は、人感センサ７１を装着する人感センサ装着部７５１ａと、照度センサ装着部７５１ｂとを一体に有する。
人感センサ装着部７５１ａは、有底筒状をし、底部にリード線（ピン）７１ｂ用の貫通孔を有する。人感センサ７１は、センサカバー７１ｃが露出する状態で有底筒状をした部分に収容されて装着される。このため、人感センサ装着部７５１ａは人感センサ７１のセンサ本体７１ａの側面を遮蔽する遮蔽壁として機能する。なお、貫通孔はリード線（ピン）７１ｂの本数・位置に合わせて設けられている。
【００４０】
照度センサ装着部７５１ｂは、有底筒状をし、底部にリード線（ピン）７３ｂ用の貫通孔を有する。照度センサ７３は、先端部が露出する状態で有底筒状をした部分に収容されて装着される。貫通孔はリード線（ピン）７３ｂの本数・位置に合わせて設けられている。
人感センサ装着部７５１ａと照度センサ装着部７５１ｂとの筒状部は互いに結合して、１つの収容空間に人感センサ７１のセンサ本体７１ａと照度センサ７３のセンサ本体７３ａとが収容されている。
【００４１】
（６−３−２）嵌合部
嵌合部７５３は、図９に示すように、センサ装着部７５１の表側端から表側に向かって拡径する拡径部分７５３ａと、拡径部分７５３ａの外周縁から裏側に延伸する筒部分７５３ｂと、筒部分７５３ｂの裏側端から径方向の外方に張り出す鍔部分７５３ｃとを有する。
拡径部分７５３ａにより、人感センサ７１及び照度センサ７３をシェード６の貫通孔６１１の開口縁よりも裏側に配することができ、センサの感度を落とすことなく、人感センサ７１及び照度センサ７３の破損を抑制できる。
図２に示すように、筒部分７５３ｂは、シェード６の貫通孔６１１を構成する内鍔部６１３の内周面に当接するように構成されている。これにより、センサユニット７のガタ付きを少なくできる。鍔部分７５３ｃはシェード６の内鍔部６１３の裏側端面と当接する。これにより、センサユニット７の表裏方向の移動が規制される。
【００４２】
（６−３−３）スペーサ部
スペーサ部７５５は、図９に示すように、センサ装着部７５１と点灯基板５１との間を埋める機能を有する。スペーサ部７５５は板状部分７５５ａ，７５５ｂ，７５５ｃにより構成される。板状部分７５５ａ，７５５ｂ，７５５ｃは、人感センサ装着部７５１ａの底部と照度センサ装着部７５１ｂの底部とから点灯基板５１に向かって延伸する。
ここでの板状部分７５５ｂと板状部分７５５ｃは一体で（連続して）形成されており、板状部分７５５ａと板状部分７５５ｂとで「十」字状の横断面形状を構成している。なお、板状部分７５５ｃは、板状部分７５５ｂにおける板状部分７５５ａと反対側に端部に位置する。これにより、支持台７５を点灯基板５１に安定した状態で当接させることができる。
板状部分７５５ａ，７５５ｂは人感センサ装着部７５１ａの底壁から延伸し、板状部分７５５ｃは照度センサ装着部７５１ｂの底壁に跨る状態で延伸している。なお、板状部分７５５ｃの表裏両面には照度センサ７３のリード線（ピン）７３ｂを保護するための溝が形成されている。
【００４３】
（６−３−４）取付部
図２を用いて説明する。
取付部７５７は、スペーサ部７５５からセンサ装着部８５１と反対側に延伸する一対の延伸部分７５７ａと、延伸部分７５７ａの延伸先端であって他方の延伸部分７５７ａと対向しない側に張り出す係止部分７５７ｂとを有している。一対の延伸部分７５７ａは両者が遠近する方向に弾性変形可能な構成とされている。弾性変形は、一対の延伸部分７５７ａの内側の溝７５７ｃにより可能とされている。一対の延伸部分７５７ａが弾性変形して係止部分７５７ｂが点灯基板５１の貫通孔５１ｆを通過すると、係止部分７５７ｂが点灯基板５１に係合する。
【００４４】
３．スペーサセット
照明装置１は、図１０に示すような、丸型引掛シーリング９１の開口部９１ａや角型引掛シーリング９２の開口部９２ａに被取付具８１が挿入され、照明装置１を回転させることで、丸型引掛シーリング９１や角型引掛シーリング９２等の取付具に取り付けられる。
照明装置１は、丸型引掛シーリング９１や角型引掛シーリング９２等に取り付ける際に、設置面との間にスペーサセット９０を介在させて取り付けてもよい。これにより、設置面と照明装置１との隙間が小さくなり、意匠性が向上する。
以下、スペーサセット９０について図１１及び図１２を用いて説明する。
【００４５】
（１）スペーサセット
スペーサセット９０は、丸型引掛シーリング９１用の外スペーサ９３と、角型引掛シーリング９２用の内スペーサ９４である。内スペーサ９４は外スペーサ９３に着脱自在に取り付けられる(支持される）。
つまり、丸型引掛シーリング９１の場合は外スペーサ９３だけ使用され、角型引掛シーリング９２の場合、図１１に示すように、内スペーサ９４が外スペーサ９３に組み込まれて使用される。
【００４６】
（２）外スペーサ
外スペーサ９３は、図１２に示すように、設置面側が開放し且つ底に貫通孔９３２ａを有する有底筒状をしている。
外スペーサ９３は、設置面側拡がりの段付き筒部９３１と、筒部９３１における設置面と反対側の端部を一部塞ぐ底部９３２と、底部９３２の貫通孔９３２ａの周縁から設置面側に延伸する鍔部９３３とを有する。ここでは、外スペーサ９３を設置面に取り付けるための取付部９３４を有する。
【００４７】
底部９３２は、筒部９３１の筒軸を中心とする円形状の貫通孔９３２ａを有する。貫通孔９３２ａの直径は、内スペーサ９４の外筒部９４１の外径と略一致する。また、貫通孔９３２ａは丸型引掛シーリング９１の筒部の外径と略一致する。貫通孔９３２ａと鍔部９３とで、丸型引掛シーリング９１と嵌合する嵌合部が構成される。
貫通孔９３２ａの一部は径方向の外方へと張り出している。この張出部分９３２ｂは内スペーサ９４の外筒部９４１の凸部分９４１ａと嵌合する。これにより、内スペーサ９４が外スペーサ９３に対して回転規制される。
鍔部９３３は、周方向に凸部分９３３ａを間隔を置いて複数個有する。凸部分９３３ａは筒部９３１の筒軸と平行に延伸する。凸部分９３３ａは、内スペーサ９４の外筒部９４１の溝９４１ｂと嵌合する。
取付部９３４は、ここでは、貫通孔９３２ａの中心を挟んで対向する２箇所に設けられている。取付部９３４は底部９３２から設置面側に中空状に突出する。取付部９３４の設置面側端は平坦状をしている。外スペーサ９３を設置面に取り付ける際には、平坦部分９３４ａに両面テープが貼着される。取付部９３４の中空部分は使用者の指が入る大きさに構成されている。これにより、外スペーサ９３を容易に設置面に取り付け固定することができて、照明装置１の被取付部８１を丸型引掛けシーリング９１に装着する時のガイドとなり簡単に装着することが可能になる。
【００４８】
（３）内スペーサ
内スペーサ９４は、図１２に示すように、設置面側が開放し且つ底に貫通孔９４２ａを有する有底筒状をしている。ここでの貫通孔９４２ａは角型引掛ヒーリング９２に対応して矩形状をしている。
内スペーサ９４は、外筒部９４１と、外筒部９４１における設置面と反対側の端部を一部塞ぐ底部９４２と、底部９４２の貫通孔９４２ａの周縁から設置面側に筒状に延伸する内筒部９４３と、外筒部９４１の設置面側の端部から径方向の外方に張り出す外鍔部９４４とを有する。
【００４９】
外筒部９４１は、径方向の外方へ突出する凸部分９４１ａを１個外周面に有する。凸部分９４１ａは、外スペーサ９３に組み込まれた際に、外スペーサ９３の鍔部９３３の張出部分９３２ｂに嵌合する。
外筒部９４１は、周方向に間隔を置いて複数個の溝９４１ｂを外周面に有している。溝９４１ｂは外筒部９４１の筒軸と平行に延伸する。溝９４１ｂには、外スペーサ９３に組み込まれた際に外スペーサ９３の鍔部９３３の凸部分９３３ａが嵌合する。これにより、内スペーサ９４が外スペーサ９３に対して回転規制される。
【００５０】
内筒部９４３は、角型引掛シーリング９２と嵌合するように、角型引掛シーリング９２の外周面形状と一致する内周面を有する。貫通孔９４２ａと内筒部９４３とで、角型引掛シーリングと嵌合する嵌合部が構成される。
内筒部９４３は、筒軸に向かって突出する凸部分９４３ａを複数個有する。凸部分９４３ａにより、角型引掛シーリング９２とのガタツキを小さくできる。
外鍔部９４４は、外スペーサ９３に内スペーサ９４に組み込まれた際に、図１１に示すように、外スペーサ９３の鍔部９３３の設置面側端に係合する。これにより、内スペーサ９４が外スペーサ９３から落下するのを防止できる。
取付部９３４は、ここでは、貫通孔９３２ａの中心を挟んで対向する２箇所に設けられている。取付部９３４は底部９３２から設置面側に中空状に突出する。取付部９３４の設置面側端は平坦状をしている。外スペーサ９３（と内スペーサ９４）を設置面に取り付ける際には、平坦部分９３４ａに両面テープが貼着される。
取付部９３４の中空部分は使用者の指が入る大きさに構成されている。これにより、外スペーサ９３（と内スペーサ９４）を容易に設置面に取り付け固定することができる。また、照明装置１の被取付部８１を角型引掛けシーリング９２に装着する際のガイドとなり簡単に装着することが可能になる。
【００５１】
＜変形例＞
１．光源ユニット
実施形態では、光源モジュール４の光源としてＬＥＤ４３を利用したが、例えば、裏面に両端子を有するレーザ素子であってもよいし、ＥＬ素子であってもよい。また、光源として、隣接する導電片に跨るように実装して両導電片を連結できればよく、複数個のＬＥＤ素子が実装されているＳＭＤタイプを利用してもよいし、基板に複数個のＬＥＤ素子が実装したものであってもよい。
光源モジュール４は、複数個の金属板の導電片４１１から構成された配線体４１を用いたが、例えば、紙材の表面に、金属箔、金属メッキ等の導電処理を施した導電片を利用してもよい。
【００５２】
２．器具本体
実施形態では、例えば、難燃性ポリカーボネイト等により構成されているが、例えば、ポリプロピレン等の透光性樹脂材料を利用してもよいし、金属材料を利用してもよい。
実施形態の内筒部２２は内周面側にベース３の筒部３２が当接するように構成されているが、例えば、外周面がベースの筒部の内周面に当接するようにしてもよいし、内筒部に溝を設け、当該溝にベースの筒部が挿入するようにしてもよい。つまり、器具本体は、ベースと器具本体との間に点灯回路を収納できるように、ベースを装着できる構造であればよい。
３．ベース
ベース３は、表側から見ると全体形状が円形状の丸型タイプであったが、例えば、矩形状、方形状、多角形等の角型タイプであってもよい。
ベース３は、配線体４１の導電片４１１を３か所の固定部３７で固定しているが、４か所以上で固定するようにしてもよいし、固定部位のすべてが、導電片の周縁であってもよい（この場合、欠け部、又は隣接する導電片間で行われる）し、導電片の周縁から内側に移った部位であってもよい（この場合、貫通孔を導電片に設ける必要がある）。
【００５３】
４．点灯回路
実施形態では、ＬＥＤ４３用の点灯電力(一定電力）を生成しているが、例えば、調光回路を備えてもよいし、発光色の異なるＬＥＤを備えて調色回路を備えても良い。
実施形態では、電子部品５２を点灯基板５１の裏面（設置面）側に備えているが、表面に備えてもよいし、表裏両面に備えてもよい。なお、被取付具８１を装着する装着部２４の高さや被取付具と点灯基板との電気的接続を考慮すると、点灯基板５１はベース３の底部３１に近い側に存在する方が好ましい。
実施形態では、１枚の点灯基板５１にすべての電子部品５２を実装しているが、例えば、調光回路を点灯回路と別の基板に実装してユニット化してもよい。
【００５４】
５．センサユニット
実施形態では、人感センサ７１と照度センサ７３とを備えるセンサユニット７を有しているが、人感センサ７１のみを備えてもよいし、照度センサ７３のみを備えてもよいし、これら以外のセンサを備えたり、センサの動作状況を表示するモニターランプを設けたりしてもよい。センサユニット７の取り付けに着目する場合（取付方法・構造に関する発明の場合）、光源モジュール、器具本体、ベース等の構造は実施形態の構造に限定する必要はない。
センサユニット７は、表側から見ると円形状をしているが、方形状、正多角形状等の他の形状であってもよい。
センサユニット７は、表側から見ると、円形状のシェードの中央に位置するが、例えば、中央以外に位置してもよい。
実施形態ではセンサユニット７を搭載したが、センサユニット７を搭載しないタイプでもよい。
【００５５】
６．スペーサユニット
実施形態では、丸型引掛けシーリング９１、角型引掛シーリング９２に対応するスペーサユニット９０に対して説明したが、例えば、ツバ付丸型引掛シーリングの場合は、ツバ部に当る外スペーサ９３の筒部９３１の部分を切断等により削除することにより、対応可能になる。
【００５６】
７．照明装置
実施形態では、常夜灯やリモコンの信号を受信する受信ユニットを備えていないが、備えてもよい。この場合、配線体に設けてもよいし、センサユニットに設けてもよい。
実施形態では、表側から見ると全体形状が円形状の丸型タイプであったが、例えば、矩形状、方形状、多角形等の角型タイプであってもよい。
【符号の説明】
【００５７】
１        照明装置
２        器具本体
３        ベース
４        光源モジュール
５        点灯回路
６        シェード
７        センサユニット
【図１】
2020068147.tif 000003
【図２】
2020068147.tif 000004
【図３】
2020068147.tif 000005
【図４】
2020068147.tif 000006
【図５】
2020068147.tif 000007
【図６】
2020068147.tif 000008
【図７】
2020068147.tif 000009
【図８】
2020068147.tif 000010
【図９】
2020068147.tif 000011
【図１０】
2020068147.tif 000012
【図１１】
2020068147.tif 000013
【図１２】
2020068147.tif 000014